(57)【要約】【課題】ユーザの作業負荷を低減できることを目的とする。【解決手段】機器と、機器の機器情報に基づく機器管理を行う機器管理装置とを含む機器管理システムであって、前記機器管理装置は、新たに導入される機器の機器情報と現在時刻との関係に応じ、前記新たに導入される機器との通信間隔を制御する通信制御手段と、前記通信制御手段により制御された通信間隔に基づく通信により検出された機器に、当該機器に設定を行うための設定情報を送信する送信手段と、を有し、前記機器は、前記設定情報を受信する受信手段と、受信した前記設定情報に基づく設定を行う設定手段と、を備えることによって上記課題を解決する。【選択図】図１１
2015148958.tif 000002
【特許請求の範囲】
【請求項１】
機器と、機器の機器情報に基づく機器管理を行う機器管理装置とを含む機器管理システムであって、
前記機器管理装置は、
新たに導入される機器の機器情報と現在時刻との関係に応じ、前記新たに導入される機器との通信間隔を制御する通信制御手段と、
前記通信制御手段により制御された通信間隔に基づく通信により検出された機器に、当該機器に設定を行うための設定情報を送信する送信手段と、を有し、
前記機器は、
前記設定情報を受信する受信手段と、
受信した前記設定情報に基づく設定を行う設定手段と、を備えることを特徴とする機器管理システム。
【請求項２】
前記通信制御手段は、
前記現在時刻が前記機器情報に含まれる機器の導入予定時刻に達した際に、前記機器との通信間隔を変更することを特徴とする請求項１の機器管理システム。
【請求項３】
前記通信制御手段は、
前記現在時刻が前記機器情報に含まれる機器の導入予定時刻に達した際に、予め定められている前記機器との通信間隔を、該通信間隔よりも短い通信間隔に変更する請求項２に記載の機器管理システム。
【請求項４】
前記新たに導入される機器の機器情報を取得する取得手段をさらに備える請求項１ないし３のいずれかに記載の機器管理システム。
【請求項５】
前記取得手段は、
ネットワークを介して接続可能な機器情報管理装置から前記機器情報を取得する請求項４に記載の機器管理システム。
【請求項６】
前記送信手段は、
前記設定情報にかかる設定を初期化するための情報を、前記機器に送信する請求項１ないし５のいずれかに記載の機器管理システム。
【請求項７】
機器の機器情報に基づく機器管理を行う機器管理装置であって、
新たに導入される機器の機器情報と現在時刻との関係に応じ、前記新たに導入される機器との通信間隔を制御する通信制御手段と、
前記通信制御手段により制御された通信間隔に基づく通信により検出された機器に、当該機器に設定を行うための設定情報を送信する送信手段と、を備えたことを特徴とする機器管理装置。
【請求項８】
前記新たに導入される機器の機器情報を取得する取得手段を備える請求項７に記載の機器管理装置。
【請求項９】
前記取得手段は、
ネットワークを介して接続可能な機器情報管理装置から前記機器情報を取得する請求項８に記載の機器管理装置。
【請求項１０】
前記送信手段は、
前記設定情報にかかる設定を初期化するための情報を、前記機器に送信する請求項７ないし９のいずれかに記載の機器管理装置。
【請求項１１】
機器と、機器の機器情報に基づく機器管理を行う機器管理装置とを含む機器管理システムであって、
新たに導入される機器の機器情報と現在時刻との関係に応じて前記新たに導入される機器から送信される、当該機器への設定情報の送信要求を受信する送信要求受信手段と、
受信した前記設定情報の送信要求に基づき、前記機器に設定を行うための設定情報を送信する設定情報送信手段と、を備え、
前記機器は、
予め定められた時刻になった際に前記機器管理装置に前記送信要求を前記機器に送信する送信要求送信手段と、
前記機器管理装置から送信される設定情報に基づく設定を行う設定手段と、を備えたことを特徴とする機器管理システム。
【請求項１２】
前記送信要求送信手段は、
前記機器管理装置から送信される設定情報を初期化するための情報の送信要求を送信する請求項１１に記載の機器管理システム。
【請求項１３】
前記設定手段は、
前記設定情報を初期化するための情報に基づく初期化を行う請求項１１または１２に記載の機器管理システム。
【請求項１４】
前記送信要求送信手段は、
当該機器の設定が変更された場合に前記送信要求を送信する請求項１１ないし１３のいずれかに記載の機器管理システム。
【請求項１５】
機器の機器情報に基づく機器管理を行う機器管理装置であって、
新たに導入される機器の機器情報と現在時刻との関係に応じて前記新たに導入される機器から送信される、当該機器への設定情報の送信要求を受信する送信要求受信手段と、
受信した前記設定情報の送信要求に基づき、前記機器に設定を行うための設定情報を前記機器に送信する設定情報送信手段と、を備えたことを特徴とする機器管理装置。
【請求項１６】
機器と、機器の機器情報に基づく機器管理を行う機器管理装置とを含む機器管理システムに行わせる機器管理方法であって、
前記機器管理装置に、
新たに導入される機器の機器情報と現在時刻との関係に応じ、前記新たに導入される機器との通信間隔を制御させる通信制御手順と、
前記通信制御手順により制御された通信間隔に基づく通信により検出された機器に、当該機器に設定を行うための設定情報を送信させる送信手順と、を有し、
前記機器に、
前記設定情報を受信させる受信手順と、
受信した前記設定情報に基づく設定を行わせる設定手順と、を行わせる機器管理方法。
【請求項１７】
機器と、機器の機器情報に基づく機器管理を行う機器管理装置とを含む機器管理システムであって、
新たに導入される機器の機器情報と現在時刻との関係に応じて前記新たに導入される機器から送信される、当該機器への設定情報の送信要求を受信する送信要求受信手段と、
受信した前記設定情報の送信要求に基づき、前記機器に設定を行うための設定情報を送信する設定情報送信手段と、を備え、
前記機器は、
予め定められた時刻になった際に、前記機器管理装置に前記送信要求を前記機器に送信する送信要求送信手段と、
前記機器管理装置から送信される設定情報に基づく設定を行う設定手段と、を備えたことを特徴とする機器管理システム。
【請求項１８】
コンピュータを、請求項１ないし１０いずれか一に記載の機器管理装置として機能させるためのプログラム。
【請求項１９】
コンピュータを、請求項１１に記載の機器管理装置として機能させるためのプログラム。
【発明の詳細な説明】
【技術分野】
【０００１】
本発明は、機器管理システム、機器管理装置、機器管理方法、およびプログラムに関する。
【背景技術】
【０００２】
従来、ネットワークにおいて新規に機器が追加された場合、または機器のネットワークに係る設定が行われた場合、機器管理装置に通知する機器が知られている（例えば、特許文献１参照）。
【０００３】
また、ネットワーク上の機器同士で定期的に通信を行い、一定の条件が満たされた場合、送受信が行われる通信処理、いわゆるポーリング（Ｐｏｌｌｉｎｇ）が知られている。ポーリングによって、ネットワーク上で新規に機器が追加、または機器のネットワークに係る設定変更を検知する方法が知られている（例えば、特許文献２参照）。
【発明の概要】
【発明が解決しようとする課題】
【０００４】
しかしながら、特許文献１および特許文献２の方法では、ユーザの使用環境に合わせて機器の設定が行われていないため、設定をユーザまたは管理者が手作業で行うため、ユーザの作業負荷が発生する虞があった。
【０００５】
本発明の１つの側面は、ユーザの使用環境などに合わせて機器の設定を行うことで、ユーザの作業負荷を低減できる情報処理システムを提供することを目的とする。
【課題を解決するための手段】
【０００６】
一態様における、機器と、機器の機器情報に基づく機器管理を行う機器管理装置とを含む機器管理システムであって、前記機器管理装置は、新たに導入される機器の機器情報と現在時刻との関係に応じ、前記新たに導入される機器との通信間隔を制御する通信制御手段と、前記通信制御手段により制御された通信間隔に基づく通信により検出された機器に、当該機器に設定を行うための設定情報を送信する送信手段と、を有し、前記機器は、前記設定情報を受信する受信手段と、受信した前記設定情報に基づく設定を行う設定手段と、を備えることを特徴とする。
【発明の効果】
【０００７】
ユーザの作業負荷を低減できる情報処理システムを提供することできる。
【図面の簡単な説明】
【０００８】
【図１】本発明の一実施形態に係る情報処理システムの構成の一例を示す概念図である。
【図２】本発明の一実施形態に係るサーバのハードウェア構成の一例を説明するブロック図である。
【図３】本発明の一実施形態に係る印刷装置のハードウェア構成の一例を説明するブロック図である。
【図４】本発明の一実施形態に係る機器管理サーバの機能構成の一例を説明する機能ブロック図である。
【図５】本発明の一実施形態に係る機器と設定情報を対応付けさせるための対応表の一例を説明する表である。
【図６】本発明の一実施形態に係る設定情報管理サーバの機能構成の一例を説明する機能ブロック図である。
【図７】本発明の一実施形態に係る印刷機器の機能構成の一例を説明する機能ブロック図である。
【図８】本発明の一実施形態に係る情報処理機器、および携帯情報処理機器の機能構成の一例を説明する機能ブロック図である。
【図９】本発明の一実施形態に係る印刷機器のための設定情報の一例を説明する表である。
【図１０】本発明の一実施形態に係る情報処理機器、および携帯情報処理機器のための設定情報の一例を説明する表である。
【図１１】本発明の一実施形態に係る印刷機器がネットワークに接続された場合の全体処理の一例を説明するシーケンス図である。
【図１２】本発明の一実施形態に係る管理情報の一例を説明する表である。
【図１３】本発明の一実施形態に係るスケジュール情報の一例を説明する表である。
【図１４】本発明の一実施形態に係る設定情報に基づいて設定を変更する処理の一例を説明する図である。
【図１５】本発明の一実施形態に係る情報処理システムの印刷機器による処理の一例を説明するフローチャートである。
【図１６】本発明の一実施形態に係る情報処理システムの機器管理サーバによる処理の一例を説明するフローチャートである。
【図１７】本発明の一実施形態に係る情報処理システムの設定情報管理サーバによる処理の一例を説明するフローチャートである。
【図１８】本発明の一実施形態に係る設定情報に基づいて設定を変更する処理の変形例の一例を説明する図である。
【図１９】本発明の一実施形態に係る機器管理サーバによる登録する処理の一例を説明するフローチャートである。
【図２０】本発明の一実施形態に係る第２実施形態の情報処理システムにおいて印刷機器がネットワークに接続された場合の全体処理の一例を説明するシーケンス図である。
【図２１】本発明の一実施形態に係る第２実施形態の情報処理システムの印刷機器による処理の一例を説明するフローチャートである。
【図２２】本発明の一実施形態に係る第２実施形態の情報処理システムの機器管理サーバによる処理の一例を説明するフローチャートである。
【図２３】本発明の一実施形態に係る第３実施形態の情報処理システムにおいて印刷機器がネットワークに接続された場合の全体処理の一例を説明するシーケンス図である。
【図２４】本発明の一実施形態に係る第３実施形態の情報処理システムの機器管理サーバによる処理の一例を説明するフローチャートである。
【発明を実施するための形態】
【０００９】
以下、本発明の実施の形態について説明する。
【００１０】
＜第１実施形態＞
＜システム構成＞
図１は、本発明の一実施形態に係る情報処理システムの構成の一例を示すネットワーク図である。
【００１１】
情報処理システムは、例えば情報処理システム１である。以下、情報処理システム１を例に説明する。
【００１２】
情報処理システム１は、機器管理サーバ３と、設定情報管理サーバ４と、印刷機器５と、情報処理機器６と、携帯情報処理機器７と、を有する。機器管理サーバ３と、設定情報管理サーバ４と、は、通信回線２によって接続している。
【００１３】
機器管理サーバ３と、印刷機器５と、情報処理機器６と、携帯情報処理機器７と、は、同一のサイト８において接続している。サイト８において各機器、および機器管理サーバ３は、ネットワーク９によって接続している。機器管理装置は、例えば機器管理サーバ３である。以下、機器管理サーバ３を例に説明する。
【００１４】
通信回線２は、例えばインターネットなど通信網である。通信回線２は、有線または無線のＬＡＮ（Ｌｏｃａｌ  Ａｒｅａ  Ｎｅｔｗｏｒｋ）、またはＷＡＮ（Ｗｉｄｅ  Ａｒｅａ  Ｎｅｔｗｏｒｋ）などである。
【００１５】
ネットワークは、例えばネットワーク９である。以下、ネットワーク９を例に説明する。ネットワーク９は、例えばＬＡＮなど有線または無線のネットワークである。
【００１６】
なお、通信回線２、およびはネットワーク９は、複数のネットワークで構成されていてもよい。例えば、通信回線２は、別のサーバ、ルータ（Ｒｏｕｔｅｒ）、またはアクセスポイントなどのノード（Ｎｏｄｅ）を介して接続された２以上のネットワークで構成されていてもよい。
【００１７】
機器管理サーバ３は、サイト８が有する各機器を管理するサーバである。機器管理サーバ３については、詳細は後述する。
【００１８】
設定情報管理サーバ４は、各機器の初期設定に係る情報などを有し、各機器へ送信を行うサーバである。設定情報管理サーバ４については、詳細は後述する。
【００１９】
機器は、例えば印刷機器５、情報処理機器６、または携帯情報処理機器７などである。以下、印刷機器５、情報処理機器６、および携帯情報処理機器７を例に説明する。
【００２０】
印刷機器５は、例えばプリンタなど記録媒体を扱う機器である。印刷機器５は、例えばコピー機器、複合機、またはＦＡＸなどでもよい。印刷機器５については、詳細は後述する。
【００２１】
情報処理機器６は、例えばＰＣ（Ｐｅｒｓｏｎａｌ  Ｃｏｍｐｕｔｅｒ）などコンピュータである。情報処理機器６は、サーバ、またはメインフレームなどでもよい。なお、情報処理機器６には、例えば有線、または無線でプリンタ、プロジェクタなど周辺機器（図示せず）が接続されていてもよい。
【００２２】
携帯情報処理機器７は、例えば携帯電話など、いわゆるモバイル機器である。携帯情報処理機器７は、ＰＤＡ（Ｐｅｒｓｏｎａｌ  Ｄｉｇｉｔａｌ  Ａｓｓｉｓｔａｎｃｅ）、タブレット、スマートフォン、またはノートＰＣなどでもよい。携帯情報処理機器７については、詳細は後述する。
【００２３】
なお、システムの構成は、図１に示した構成に限定されない。例えば、設定情報管理サーバ４は、サイト８において接続されていてもよい。また、接続されている機器は、いずれもが必須ではなく、例えば印刷機器５を有しない構成でもよく、または印刷機器５が複数接続されていてもよい。さらに、情報処理システム１は、通信回線２を介してサイト８以外のサイト（図示せず）の複数のサイトと接続している構成でもよい。
【００２４】
なお、各装置は、１つの装置にまとめられていてもよい。例えば、機器管理サーバ３と、設定情報管理サーバ４と、は、１つのサーバであってもよい。
【００２５】
＜ハードウェア構成＞
図２は、本発明の一実施形態に係るサーバのハードウェア構成の一例を説明するブロック図である。
【００２６】
機器管理サーバ３は、コンピュータであり、図２に示す通りのハードウェア構成である。なお、設定情報管理サーバ４、情報処理機器６、および携帯情報処理機器７は、機器管理サーバ３と同様のハードウェア構成である。以下、機器管理サーバ３を例に説明し、設定情報管理サーバ４についての説明は省略する。
【００２７】
機器管理サーバ３は、補助記憶装置３Ｈ１と、記憶装置３Ｈ２と、ＣＰＵ（Ｃｅｎｔｒａｌ  Ｐｒｏｃｅｓｓｉｎｇ  Ｕｎｉｔ）３Ｈ３と、コネクタ３Ｈ４と、入力Ｉ／Ｆ３Ｈ５と、出力Ｉ／Ｆ３Ｈ６と、メディアドライブ３Ｈ７と、を有する。
【００２８】
また、機器管理サーバ３は、ネットワークＩ／Ｆ３Ｈ８を有し、通信回線２に接続している。
【００２９】
機器管理サーバ３の各構成要素は、バス（Ｂｕｓ）３Ｈ９により接続されている。なお、バス３Ｈ９への接続は、ブリッジ回路（図示せず）を介して接続した構成でもよい。また、機器管理サーバ３の構成は、図２に示した構成に限られない。例えば、機器管理サーバ３は、複数のバスを有し、ＣＰＵ３Ｈ３など高速な伝送によって処理を行う構成要素と、入力Ｉ／Ｆ３Ｈ５など低速な伝送によって処理を行う構成要素と、が異なるバスに接続されている構成でもよい。
【００３０】
補助記憶装置３Ｈ１は、ＣＰＵ３Ｈ３、および制御装置（図示せず）などの制御によって、ＣＰＵ３Ｈ３が行う処理の中間結果を含む各種データ、パラメータ、またはプログラムなどの情報を記憶する。補助記憶装置３Ｈ１は、例えば、ハードディスク、フラッシュＳＳＤ（Ｓｏｌｉｄ  Ｓｔａｔｅ  Ｄｒｉｖｅ）などである。
【００３１】
記憶装置３Ｈ２は、ＣＰＵ３Ｈ３が実行するプログラムが使用する記憶領域、いわゆるメモリ（Ｍｅｍｏｒｙ）などの主記憶装置である。記憶装置３Ｈ２は、データ、プログラム、またはパラメータなどの情報を記憶する。メモリのデバイスの種類は、例えばＳＲＡＭ（Ｓｔａｔｉｃ  Ｒａｎｄｏｍ  Ａｃｃｅｓｓ  Ｍｅｍｏｒｙ）などである。
【００３２】
ＣＰＵ３Ｈ３は、機器管理サーバ３が行う各処理のための演算、制御を行う。例えばＣＰＵ３Ｈ３は、バス３Ｈ９を介して補助記憶装置３Ｈ１と、記憶装置３Ｈ２と、入力Ｉ／Ｆ３Ｈ５と、出力Ｉ／Ｆ３Ｈ６と、の間で情報の入出力を行う。また、ＣＰＵ３Ｈ３は、各種のプログラムを実行する。
【００３３】
コネクタ３Ｈ４は、外部装置（図示せず）と接続し、外部装置（図示せず）と入出力を行うためのバス、いわゆる外部バスである。コネクタ３Ｈ４は、例えばＵＳＢ（Ｕｎｖｅｒｓａｌ  Ｓｅｒｉａｌ  Ｂｕｓ）などである。
【００３４】
入力Ｉ／Ｆ３Ｈ５は、機器管理サーバ３に入力装置を接続するためのインタフェース（Ｉｎｔｅｒｆａｃｅ）である。入力装置は、例えば、処理に必要な値、またはコマンドなどを入力するキーボード３Ｈ５１などである。入力装置は、二次元の移動距離を機器管理サーバ３に入力するマウス３Ｈ５２などである。
【００３５】
出力Ｉ／Ｆ３Ｈ６は、処理結果などを表示する出力装置であるディスプレイ３Ｈ６１、ディスプレイ３Ｈ６１に出力する画像信号を制御する処理回路（図示せず）、ドライバ（図示せず）、およびケーブル（図示せず）などである。
【００３６】
メディアドライブ３Ｈ７は、記録媒体であるメディア３７１と接続し、情報の入出力を行うための処理を行う。メディア３Ｈ７１は、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、ブルーレイなど光ディスクである。
【００３７】
ネットワークＩ／Ｆ３Ｈ８は、機器管理サーバ３を有線または無線でＬＡＮなどのネットワークに接続するためのインタフェースである。
【００３８】
バス３Ｈ９は、機器管理サーバ３の各構成要素間の通信に用いられる。バス３Ｈ９は、いわゆる内部バスである。バス３Ｈ９は、例えばＰＣＩ  Ｅｘｐｒｅｓｓ（Ｐｅｒｉｐｈｅｒａｌ  Ｃｏｍｐｏｎｅｎｔ  Ｉｎｔｅｒｃｏｎｎｅｃｔ  Ｂｕｓ  Ｅｘｐｒｅｓｓ）である。
【００３９】
なお、機器管理サーバ３は、図２に示した各要素をハードウェア構成の要素として必須としない。例えば機器管理サーバ３は、メディアドライブ３Ｈ７を有さなくともよい。
【００４０】
また、機器管理サーバ３は、各種プログラムによる実行に代えて、同様の処理全部または同様の処理の一部を実行できる回路を、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などによって実現してもよい。
【００４１】
図３は、本発明の一実施形態に係る印刷機器のハードウェア構成の一例を説明するブロック図である。
【００４２】
印刷機器５は、補助記憶装置５Ｈ１と、記憶装置５Ｈ２と、ＣＰＵ５Ｈ３と、画像処理ＡＳＩＣ５Ｈ４と、スキャナ装置５Ｈ５と、プリンタ装置５Ｈ６と、操作装置５Ｈ７と、ネットワークＩ／Ｆ５Ｈ８と、を有する。
【００４３】
印刷機器５の各構成要素は、バス５Ｈ９により接続されている。なお、バス５Ｈ９への接続は、ブリッジ回路（図示せず）を介して接続する構成でもよい。また、印刷機器５の構成は、図３に示した構成に限られない。例えば、印刷機器５は、複数のバスを有し、ＣＰＵ５Ｈ３の入出力など高速な伝送によって処理を行う構成要素と、操作装置５Ｈ７など低速な伝送によって処理を行う構成要素と、が異なるバスに接続されている構成でもよい。
【００４４】
補助記憶装置５Ｈ１は、画像などのデータの蓄積、印刷などに用いるフォントデータの蓄積、フォームの蓄積を行うための補助記憶装置である。補助記憶装置５Ｈ１は、後述するＣＰＵ５Ｈ３の制御にしたがってデータの読出又は書込を制御する制御装置（図示せず）を有する。
【００４５】
記憶装置５Ｈ２は、例えばメモリである。記憶装置５Ｈ２は、画像形成用の画像バッファ、符号バッファ、後述するＣＰＵ５Ｈ３の作業領域など、後述するＣＰＵ５Ｈ３、または画像処理ＡＳＩＣ５Ｈ４が用いるデータ、プログラム、またはパラメータなどの情報を記憶する。
【００４６】
ＣＰＵ５Ｈ３は、印刷機器５の全体、および各要素の制御を行い、各処理を実行する。
【００４７】
画像処理ＡＳＩＣ５Ｈ４は、画像処理用の処理回路を有する。画像処理ＡＳＩＣ５Ｈ４は、例えば画像の回転させる処理、または画像データをフォーマットを変更する処理などを行う。
【００４８】
スキャナ装置５Ｈ５は、記録媒体に形成されている画像、文字、図形などを読み取り、画像データを生成する。
【００４９】
プリンタ装置５Ｈ６は、記録媒体に画像形成を行う。
【００５０】
なお、スキャナ装置５Ｈ５、またはプリンタ装置５Ｈ６は、誤差拡散やガンマ変換などの画像処理を行う装置でもよい。
【００５１】
操作装置５Ｈ７は、例えばタッチパネルなど印刷機器５に対する操作を入力する入力装置、および操作に必要な表示を行う出力装置である。
【００５２】
ネットワークＩ／Ｆ５Ｈ８は、図２のネットワークＩ／Ｆ３Ｈ８と同様で、ＬＡＮ、またはインターネットなどネットワークに接続するためのインタフェースである。
【００５３】
なお、印刷機器５は、図３に示した各要素をハードウェア構成の要素として必須としない。例えば印刷機器５は、スキャナ装置５Ｈ５を有さなくともよい。
【００５４】
印刷機器５は、例えばスキャナ装置５Ｈ５またはネットワークＩ／Ｆ５Ｈ８から入力された画像データを補助記憶装置５Ｈ１に記憶する。補助記憶装置５Ｈ１に記憶された画像データをプリンタ装置５Ｈ６によって記録媒体へ画像形成し、出力する。
【００５５】
＜機器管理サーバの機能＞
図４は、本発明の一実施形態に係る機器管理サーバの機能構成の一例を説明する機能ブロック図である。
【００５６】
機器管理サーバ３は、入力部３Ｆ１と、出力部３Ｆ２と、処理部３Ｆ３と、記憶部３Ｆ４と、制御部３Ｆ５と、を有する。
【００５７】
入力部３Ｆ１は、信号入力部３Ｆ１１と、データ入力部３Ｆ１２と、を有する。
【００５８】
入力部３Ｆ１は、信号、またはデータなど情報を機器管理サーバ３に入力するための処理を行う。入力部３Ｆ１は、例えば図２のＣＰＵ３Ｈ３と、図２のネットワークＩ／Ｆ３Ｈ８と、によって実現される。
信号入力部３Ｆ１１は、例えば後述するポーリングの際に用いられる信号を入力するための処理を行う。
【００５９】
データ入力部３Ｆ１２は、後述する設定変更に係る処理などの際に機器管理サーバ３へ設定情報、または信号などを入力するための処理を行う。
【００６０】
なお、入力部３Ｆ１は、入力された情報を後段の処理で読み込み可能な形式、または高速に処理できる形式にデータを変換する処理などを行ってもよい。
【００６１】
出力部３Ｆ２は、信号出力部３Ｆ２１と、データ出力部３Ｆ２２と、を有する。
【００６２】
出力部３Ｆ２は、信号、またはデータなど情報を機器管理サーバ３から他の装置に出力するための処理を行う。出力部３Ｆ２は、例えば図２のＣＰＵ３Ｈ３と、図２のネットワークＩ／Ｆ３Ｈ８と、によって実現される。
【００６３】
信号出力部３Ｆ２１は、例えば後述するポーリングの際に用いられる信号を出力するための処理を行う。
【００６４】
データ出力部３Ｆ２２は、例えば設定情報を後述する設定情報配布処理部３Ｆ３４の制御に基づいて出力し、外部の装置に設定情報を配布する。
【００６５】
なお、出力部３Ｆ２は、出力する情報を入力する装置が読み込み可能な形式、または高速に処理できる形式にデータを変換する処理などを行ってもよい。
【００６６】
処理部３Ｆ３は、検出処理部３Ｆ３１と、スケジュール管理処理部３Ｆ３２と、設定情報管理処理部３Ｆ３３と、設定情報配布処理部３Ｆ３４と、設定変更受付処理部３Ｆ３５と、を有する。
【００６７】
処理部３Ｆ３は、後述する機器管理サーバ３が行う各処理を行う。処理部３Ｆ３は、例えば図２のＣＰＵ３Ｈ３によって実現される。
【００６８】
検出処理部３Ｆ３１は、後述する検出処理を行う。
【００６９】
スケジュール管理処理部３Ｆ３２は、後述する検出処理の際、用いられる後述するスケジュール情報を管理する処理を行う。
【００７０】
設定情報管理処理部３Ｆ３３は、後述する設定情報と、データ出力部３Ｆ２２の出力先となる機器と、の対応付けを行う。
【００７１】
図５は、本発明の一実施形態に係る機器と設定情報を対応付けさせるための対応表の一例を説明する表である。
【００７２】
対応表３０は、機器管理サーバ３が管理する機器と、各機器に対応する設定情報と、を対応させる表である。
【００７３】
対応表３０の「機器名」は、例えば各機器に設定されている名称であり、機器を特定する情報である。
【００７４】
対応表３０の「設定情報」は、例えば各機器に対応する設定情報の名称であり、設定情報のデータを特定する情報である。
【００７５】
設定情報配布処理部３Ｆ３４は、データ出力部３Ｆ２２に設定情報を出力、および配布させる処理を行う。設定情報配布処理部３Ｆ３４は例えば設定情報管理処理部３Ｆ３３の対応付けに基づいて印刷機器５、情報処理機器６、および携帯情報処理機器７などに設定情報をデータ出力部３Ｆ２２に出力させる。
【００７６】
設定変更受付処理部３Ｆ３５は、信号入力部３Ｆ１１またはデータ入力部３Ｆ１２が受信した信号またはデータに基づいて設定変更の要求を受け付ける。
【００７７】
記憶部３Ｆ４は、処理部３Ｆ３が各種処理を行う際に用いるデータを記憶する。記憶部３Ｆ４は、例えば図２のＣＰＵ３Ｈ３と、図２の補助記憶装置３Ｈ１と、によって実現される。なお、記憶部３Ｆ４は、図２の記憶装置３Ｈ２によって実現されてもよい。
【００７８】
記憶部３Ｆ４は、スケジュール情報記憶部３Ｆ４１と、設定情報記憶部３Ｆ４２と、を有する。
【００７９】
スケジュール情報記憶部３Ｆ４１は、スケジュール管理処理部３Ｆ３２が処理を行う際に用いられる後述するスケジュール情報が記憶される。記憶手段は、例えばスケジュール情報記憶部３Ｆ４１である。記憶手段は、スケジュール情報記憶部３Ｆ４１に限られない。例えばスケジュール情報記憶部３Ｆ４１は、記憶する情報の一部または全部を他の記憶手段と冗長または分散して記憶してもよい。以下、スケジュール情報記憶部３Ｆ４１を例に説明する。
【００８０】
設定情報記憶部３Ｆ４２は、データ出力部３Ｆ２２が出力する設定情報が記憶される。
【００８１】
制御部３Ｆ５は、機器管理サーバ３の有する各要素を制御する。制御部３Ｆ５は、例えば図２のＣＰＵ３Ｈ３によって実現される。
【００８２】
＜設定情報管理サーバの機能＞
図６は、本発明の一実施形態に係る設定情報管理サーバの機能構成の一例を説明する機能ブロック図である。
【００８３】
設定情報管理サーバ４は、入力部４Ｆ１と、出力部４Ｆ２と、処理部４Ｆ３と、記憶部４Ｆ４と、制御部４Ｆ５と、を有する。
【００８４】
入力部４Ｆ１は、データを設定情報管理サーバ４に入力するための処理を行う。入力部４Ｆ１は、例えば図２のＣＰＵ３Ｈ３と、図２のネットワークＩ／Ｆ３Ｈ８と、によって実現される。
【００８５】
なお、入力部４Ｆ１は、入力されたデータを後段の処理で読み込み可能な形式、または高速に処理できる形式にデータを変換する処理などを行ってもよい。
【００８６】
出力部４Ｆ２は、データを設定情報管理サーバ４から他の装置に出力するための処理を行う。出力部４Ｆ２は、例えば図２のＣＰＵ３Ｈ３と、図２のネットワークＩ／Ｆ３Ｈ８と、によって実現される。
【００８７】
なお、出力部４Ｆ２は、出力する情報を入力する装置が読み込み可能な形式、または高速に処理できる形式にデータを変換する処理などを行ってもよい。
【００８８】
処理部４Ｆ３は、後述する設定情報管理サーバ４が行う各処理を行う。処理部４Ｆ３は、例えば図２のＣＰＵ３Ｈ３によって実現される。
【００８９】
処理部４Ｆ３は、設定変更受付処理部４Ｆ３１と、設定情報管理処理部４Ｆ３２と、を有する。
【００９０】
設定変更受付処理部４Ｆ３１は、例えば入力部４Ｆ１が設定情報の出力を外部の装置から受け付けた場合、後述する設定情報管理処理部４Ｆ３２により設定情報を出力部４Ｆ２に出力させる処理を行う。
【００９１】
設定情報管理処理部４Ｆ３２は、例えば機器管理サーバ３から要求のあった設定情報を出力部４Ｆ２に出力させる処理を行う。
【００９２】
記憶部４Ｆ４は、対応情報記憶部４Ｆ４１と、設定情報記憶部４Ｆ４２と、を有する。
【００９３】
対応情報記憶部４Ｆ４１は、後述する設定情報記憶部４Ｆ４２に記憶されている設定情報と、入力部４Ｆ１に入力された情報と、を対応させるための情報を記憶する。情報は、例えば後述する管理情報によって実現される。
【００９４】
設定情報記憶部４Ｆ４２は、後述する設定情報を記憶する。
【００９５】
制御部４Ｆ５は、設定情報管理サーバ４の有する各要素を制御する。制御部４Ｆ５は、例えば図２のＣＰＵ３Ｈ３によって実現される。
【００９６】
＜印刷機器の機能＞
図７は、本発明の一実施形態に係る印刷機器の機能構成の一例を説明する機能ブロック図である。
【００９７】
印刷機器５は、入力部５Ｆ１と、出力部５Ｆ２と、処理部５Ｆ３と、記憶部５Ｆ４と、制御部５Ｆ５と、を有する。
【００９８】
入力部５Ｆ１は、データを印刷機器５に入力するための処理を行う。入力部５Ｆ１は、例えば図３のＣＰＵ５Ｈ３と、図３のネットワークＩ／Ｆ５Ｈ８と、によって実現される。入力部５Ｆ１は、例えば図３のスキャナ装置５Ｈ５と、図３の操作装置５Ｈ７と、によって実現されてもよい。
【００９９】
なお、入力部５Ｆ１は、入力された情報を後段の処理で読み込み可能な形式、または高速に処理できる形式にデータを変換する処理などを行ってもよい。
【０１００】
出力部５Ｆ２は、データ、または画像形成した記録媒体を印刷機器５から出力するための処理を行う。出力部５Ｆ２によるデータの出力は、例えば図３のＣＰＵ５Ｈ３と、図３のネットワークＩ／Ｆ５Ｈ８と、によって実現される。出力部５Ｆ２による画像形成した記録媒体の出力は、例えば図３のＣＰＵ５Ｈ３と、図３のプリンタ装置５Ｈ６と、によって実現される。
【０１０１】
処理部５Ｆ３は、後述する設定情報に基づいた処理、および入力部５Ｆ１に入力されたデータに基づいて画像を処理する。処理部５Ｆ３による設定情報に基づく処理は、例えば図３のＣＰＵ５Ｈ３によって実現される。処理部５Ｆ３による画像に係る処理は、例えば図３のＣＰＵ５Ｈ３、または図３の画像処理ＡＳＩＣ５Ｈ４によって実現される。
【０１０２】
処理部５Ｆ３は、画像処理部５Ｆ３１と、設定処理部５Ｆ３２と、を有する。
【０１０３】
画像処理部５Ｆ３１は、入力された画像に係るデータを出力するための処理を行う。
【０１０４】
設定処理部５Ｆ３２は、後述する設定情報に基づいた処理を行う。
【０１０５】
記憶部５Ｆ４は、印刷機器５に入力されたデータなど情報を記憶する。記憶部５Ｆ４は、例えば図３のＣＰＵ５Ｈ３、および図３の補助記憶装置５Ｈ１によって実現される。記憶部５Ｆ４は、例えば図３のＣＰＵ５Ｈ３、および図３の記憶装置５Ｈ２によって実現されてもよい。
【０１０６】
制御部５Ｆ５は、印刷機器５の有する各要素を制御する。制御部４Ｆ５は、例えば図３のＣＰＵ５Ｈ３によって実現される。
【０１０７】
＜情報処理機器、および携帯情報処理機器の機能＞
図８は、本発明の一実施形態に係る情報処理機器、および携帯情報処理機器の機能構成の一例を説明する機能ブロック図である。
【０１０８】
情報処理機器６、および携帯情報処理機器７、同様の機能構成である。以下、情報処理機器６を例に説明する。
【０１０９】
情報処理機器６は、入力部６Ｆ１と、出力部６Ｆ２と、処理部６Ｆ３と、記憶部６Ｆ４と、制御部６Ｆ５と、を有する。
【０１１０】
入力部６Ｆ１は、データを情報処理機器６に入力するための処理を行う。入力部６Ｆ１は、例えば図２のＣＰＵ３Ｈ３と、図２のネットワークＩ／Ｆ３Ｈ８と、によって実現される。入力部６Ｆ１は、例えば図２のＣＰＵ３Ｈ３と、図２の入力Ｉ／Ｆ３Ｈ５と、によって実現されてもよい。入力部６Ｆ１は、例えば図２のＣＰＵ３Ｈ３と、図２のメディアドライブＩ／Ｆ３Ｈ７と、によって実現されてもよい。入力部６Ｆ１は、例えば図２のＣＰＵ３Ｈ３と、図２のコネクタ３Ｈ４と、によって実現されてもよい。
【０１１１】
なお、入力部６Ｆ１は、入力された情報を後段の処理で読み込み可能な形式、または高速に処理できる形式にデータを変換する処理などを行ってもよい。
【０１１２】
出力部６Ｆ２は、データを情報処理機器６から出力するための処理を行う。出力部６Ｆ２によるデータの出力は、例えば図２のＣＰＵ３Ｈ３と、図２のネットワークＩ／Ｆ３Ｈ８と、によって実現される。
【０１１３】
なお、出力部６Ｆ２は、出力する情報を入力する装置が読み込み可能な形式、または高速に処理できる形式にデータを変換する処理などを行ってもよい。
【０１１４】
処理部６Ｆ３は、後述する設定情報に基づいた処理を行う。処理部６Ｆ３は、例えば図２のＣＰＵ３Ｈ３によって実現される。
【０１１５】
記憶部６Ｆ４は、情報処理機器６に入力されたデータなど情報を記憶する。記憶部６Ｆ４は、例えば図３のＣＰＵ３Ｈ３、および図３の補助記憶装置３Ｈ１によって実現される。記憶部６Ｆ４は、例えば図２のＣＰＵ３Ｈ３、および図２の補助記憶装置３Ｈ１によって実現される。記憶部６Ｆ４は、例えば図２のＣＰＵ３Ｈ３、および図２の記憶装置３Ｈ２によって実現されてもよい。
【０１１６】
記憶部６Ｆ４は、例えば後述する設定情報を記憶する。
【０１１７】
制御部５Ｆ５は、印刷機器５の有する各要素を制御する。制御部５Ｆ５は、例えば図２のＣＰＵ３Ｈ３によって実現される。
【０１１８】
＜設定情報＞
設定情報は、各機器に所定の処理を実行させるための設定に係る情報である。設定情報は、使用する機器によって内容が異なるデータである。各機器は、設定情報に基づいて機器の設定を変更する。以下、印刷機器５のための設定情報を例に説明する。また、情報処理機器６、および携帯情報処理機器７のための設定情報を例に説明する。
【０１１９】
図９は、本発明の一実施形態に係る印刷機器のための設定情報の一例を説明する表である。
【０１２０】
印刷機器のための設定情報は、例えば第一の設定表１０で示す情報を含むデータである。以下、設定情報は、各機器のハードウェア、および機能に係る設定を変更するための情報である場合を例に説明する。
【０１２１】
第一の設定表１０は、印刷機器５の各種設定を行うため情報を含むデータである。
【０１２２】
第一の設定表１０の「両面／片面」、「集約印刷」、「カラー」、および「二色」は、印刷機器５の図７の出力部５Ｆ２、または図７の処理部５Ｆ３に係る設定の例である。印刷機器５は、第一の設定表１０の「両面／片面」、「集約印刷」、「カラー」、および「二色」に対応した設定内容に基づいて図７の出力部５Ｆ２、または図７の処理部５Ｆ３に係る設定を変更する。
【０１２３】
第一の設定表１０は、「ステープル」、「利用制限」、「ログ収集」、および「省エネ設定」といった印刷機器５の有するオプション装置（図示せず）、または印刷機器５に接続されている周辺装置（図示せず）に係る設定情報を含んでもよい。
【０１２４】
図１０は、本発明の一実施形態に係る情報処理機器、および携帯情報処理機器のための設定情報の一例を説明する表である。
【０１２５】
第二の設定表１１は、情報処理機器、および携帯情報処理機器に特定の情報を入力するための情報を含むデータである。
【０１２６】
第二の設定表１１は、例えば図示するような顧客情報を入力するための情報である。以下、設定情報が第二の設定表１１のような顧客情報である場合を例に説明する。
【０１２７】
第二の設定表１１の「アドレスＩＤ」、および「氏名」は、顧客を識別するための氏名、または番号である。顧客情報は、「アドレスＩＤ」が「５」の場合のように、組織名で示されていてもよい。
【０１２８】
第二の設定表１１の「所属部署」、「電話番号」、および「メール」は、「アドレスＩＤ」、または「氏名」で識別された顧客に対応する連絡先、または所属など顧客に関する情報の例である。
【０１２９】
第一の設定表１０、および第二の設定表１１は、更新を行う。例えば情報処理システム１の管理者は、第一の設定表１０において更新を行う対象となる項目である更新項目を設定する。機器管理サーバ３は、更新項目が更新された場合、各機器へ更新された設定情報を後述する処理によって送信し、送信された設定情報による設定の変更を行う。更新によって、設定情報を最新の状態にすることができ、セキュリティの向上、最適な設定環境をユーザに提供などができる。
【０１３０】
なお、設定情報は、図９および図１０で示したデータに限られない。例えば、図９の設定表１０は、印刷機器５の機種、または印刷機器５の有するオプション装置（図示せず）によって設定項目が追加、変更、または削除されていてもよい。
【０１３１】
＜全体処理＞
図１１は、本発明の一実施形態に係る印刷機器がネットワークに接続された場合の全体処理の一例を説明するシーケンス図である。
【０１３２】
印刷機器５がネットワーク９に接続された場合、情報処理システム１は、全体処理として例えば図１１に示す処理を行う。
【０１３３】
図１１は、時間Ｔ１のタイミングで印刷機器５をネットワーク９に接続する場合である。
【０１３４】
ステップＳ１１０１では、情報処理システム１の管理者は、設定情報管理サーバ４に管理情報、および設定情報を入力する。
【０１３５】
図１２は、本発明の一実施形態に係る管理情報の一例を説明する表である。
【０１３６】
管理情報は、例えば管理表１２で表現される情報である。以下、管理表１２を例に説明する。
【０１３７】
管理表１２の「機器識別情報」は、ネットワーク９に接続されている機器を識別するための識別情報である。「機器識別情報」に入力される情報は、例えば物理アドレスなどである。物理アドレスは、同一の情報が入力された機器がない情報である。なお、「機器識別情報」に入力される情報は、物理アドレスに限られない。例えば機器のいわゆる製造番号、またはいわゆるシリアルナンバーなどでもよい。
【０１３８】
管理表１２の「機器の種類」は、機器の種別を表す情報である。
【０１３９】
管理表１２の「ネットワークへ接続開始時間」は、ネットワーク９に対応する機器を接続する時間を表す情報である。図１１の場合、印刷機器５の「ネットワークへ接続開始時間」は、時間Ｔ１を表す情報を入力する。
【０１４０】
管理表１２の「担当機器管理サーバ」は、対応する機器の管理を行う機器管理サーバを特定する情報である。図１１の場合、印刷機器５の管理を行う機器管理サーバは、機器管理サーバ３であるため、機器管理サーバ３を特定する情報が入力される。機器管理サーバ３を特定する情報は、図１１の場合、例えば機器管理サーバ３のＩＰアドレス、サーバ名、またはドメインなど識別情報である。
【０１４１】
管理表１２の「設定情報保有者」は、対応する機器の設定情報を保有している者を表す管理情報である。
【０１４２】
管理表１２の「設定情報ＩＤ」は、各機器に設定する設定情報を特定するための情報である。管理表１２または後述するスケジュール表１３の「設定情報ＩＤ」は、後述する処理によって、設定情報管理サーバ４に送信される情報である。設定情報管理サーバ４は、送信された管理表１２または後述するスケジュール表１３の「設定情報ＩＤ」の情報に基づいて対応する設定情報を特定することができる。
【０１４３】
ステップＳ１１０２では、情報処理システム１の管理者は、機器管理サーバ３にスケジュール情報を入力する。スケジュール情報は、例えばステップＳ１１０１で設定情報管理サーバ４に入力された管理情報から取得する。なお、スケジュール情報は、設定情報管理サーバ４から取得し、生成する情報に限られない。例えばスケジュール情報は、情報処理システム１の管理者が機器管理サーバ３に入力することによって生成する情報でもよい。
【０１４４】
図１３は、本発明の一実施形態に係るスケジュール情報の一例を説明する表である。
【０１４５】
スケジュール情報は、新たにネットワークに導入される機器の情報を定めた情報である。スケジュール情報は、例えばスケジュール表１３で表現される情報である。以下、スケジュール表１３を例に説明する。
【０１４６】
スケジュール表１３は、例えばステップＳ１１０１で設定情報管理サーバ４に入力された管理表１２に基づいて生成される。例えばステップＳ１１０２で、機器管理サーバ３は、設定情報管理サーバ４にスケジュール情報を生成するための情報を要求する。設定情報管理サーバ４は、機器管理サーバ３の要求に対して管理表１２の一部の情報を機器管理サーバ３へ送信する。
【０１４７】
スケジュール表１３の「機器識別情報」は、管理表１２の「機器識別情報」から生成される情報である。「機器識別情報」は、例えばＭａｃアドレスなどである。「機器識別情報」は、ネットワーク９に接続されている機器を識別するための情報である。
【０１４８】
スケジュール表１３の「機器の種類」は、管理表１２の「機器の種類」から生成される情報である。「機器の種類」は、例えば「印刷機器」、または「ＰＣ」などである。「機器の種類」は、「機器識別情報」で識別された機器の種類を示す情報である。
【０１４９】
スケジュール表１３の「ネットワークへ接続開始時間」は、管理表１２の「ネットワークへ接続開始時間」から生成される情報である。「ネットワークへ接続開始時間」は、日時の情報である。「ネットワークへ接続開始時間」は、ネットワーク９に接続される日時を示す情報である。
【０１５０】
スケジュール表１３の「設定情報ＩＤ」は、管理表１２の「設定情報ＩＤ」から生成される情報である。スケジュール表１３の「設定情報ＩＤ」は、管理表１２の「設定情報ＩＤ」と同様の情報である。
【０１５１】
なお、管理表１２およびスケジュール表１３は、図示した形式に限られない。例えば、管理表１２は、設定項目が追加、変更、または削除されていてもよい。
【０１５２】
ステップＳ１１０３では、機器管理サーバ３は、後述する検出処理を行う。機器管理サーバ３は、後述する検出処理によって、印刷機器５がネットワーク９に接続されたことが検出できる。印刷機器５がネットワーク９に接続されたことが検出できた場合、機器管理サーバ３は、印刷機器５を管理対象として登録する。
【０１５３】
なお、後述する検出処理によって印刷機器５がネットワーク９に接続されたことが検出できた場合、機器管理サーバ３は後述する検出処理を終了する処理を行ってもよい。また、後述する検出処理によって印刷機器５がネットワーク９に接続されたことが検出できなく、所定の時間が経過した場合、機器管理サーバ３は後述する検出処理を終了する処理を行ってもよい。
【０１５４】
ステップＳ１１０４では、機器管理サーバ３は、ステップＳ１１０３で検出できた印刷機器５に設定する設定情報を設定情報管理サーバ４に要求する。
【０１５５】
ステップＳ１１０５では、設定情報管理サーバ４は、ステップＳ１１０４で要求された設定情報を対応させる処理を行う。具体的には、ステップＳ１１０４で機器管理サーバ３は、例えばスケジュール表１３の「設定情報ＩＤ」を設定情報管理サーバ４に送信する。設定情報管理サーバ４は、送信された「設定情報ＩＤ」に対応する設定情報を選択する。図１１の場合、スケジュール表１３の「設定情報ＩＤ」は、印刷機器５のための設定情報を表す情報を送信する。設定情報管理サーバ４は、印刷機器５に対応する設定情報を選択する。例えば設定情報管理サーバ４の記憶部４Ｆ４に、図９の第一の設定表１０と、図１０の第二の設定表１１と、が記憶されている場合、設定情報管理サーバ４は、図９の第一の設定表１０を選択する。なお、設定情報管理サーバ４の記憶部４Ｆ４には、「設定情報ＩＤ」と、設定情報と、を対応させる対応表（図示せず）などが記憶されていて、設定情報管理サーバ４は、対応表設定情報を対応させる処理を行ってもよい。
【０１５６】
ステップＳ１１０６では、設定情報管理サーバ４は、ステップＳ１１０５で選択した設定情報を機器管理サーバ３へ送信する。図１１の場合、機器管理サーバ３へ送信される設定情報は、例えば図９の第一の設定表１０である。
【０１５７】
ステップＳ１１０７では、機器管理サーバ３は、ステップＳ１１０６で送信された設定情報を印刷機器５へ送信する。
【０１５８】
ステップＳ１１０８では、印刷機器５は、ステップＳ１１０７で送信された設定情報に基づいて設定を変更する処理を行う。
【０１５９】
図１４は、本発明の一実施形態に係る設定情報に基づいて設定を変更する処理を説明する図である。
【０１６０】
図１４（ａ）は、印刷機器５のネットワーク９に接続する際の設定状態の一例を表す表である。
【０１６１】
図１４（ｂ）は、図１１のステップＳ１１０８の設定情報に基づいて設定を変更する処理によって、印刷機器５の設定が変更された後の設定状態の一例を表す表である。
【０１６２】
印刷機器の初期設定表１４は、例えばいわゆる初期状態、またはいわゆるデフォルト状態を表す表である。
【０１６３】
設定情報に基づいて設定を変更する処理は、印刷機器の初期設定表１４で表せる状態から図１１のステップＳ１１０７で送信された図９の第一の設定表１０で表された状態に印刷機器５の設定を変更する処理である。
【０１６４】
例えば印刷機器の初期設定表１４、および印刷機器の変更設定表１５の「両面／片面」の設定項目は、処理前の印刷機器の初期設定表１４と、処理後の印刷機器の変更設定表１５と、の「設定内容」が異なっている。設定情報に基づいて設定を変更する処理は、印刷機器の初期設定表１４の「片面」の設定を、図９の第一の設定表１０に基づいて、印刷機器の変更設定表１５の「両面」と変更する処理がである。設定情報に基づいて設定を変更する処理は、同様に他の「設定項目」の「設定内容」を変更する処理である。
【０１６５】
設定情報に基づいて設定を変更する処理を行うことによって、ユーザは、機器を導入の際、各機器がデフォルトの状態となっている設定を個別に変更する作業を減らすことができる。したがって、設定情報に基づいて設定を変更する処理を行うことによって、ユーザの機器を導入する際の作業負荷を低減することができる。
【０１６６】
＜印刷機器による処理＞
図１５は、本発明の一実施形態に係る情報処理システムの印刷機器による処理の一例を説明するフローチャートである。
【０１６７】
ステップＳ１５０１では、印刷機器５は、ネットワークに接続する処理を行う。印刷機器５は、例えばネットワーク９を利用するために各種設定を行う。ステップＳ１５０１の処理によって、印刷機器５は、後述する検出処理によって検出される機器となる。ステップＳ１５０１の処理によって、印刷機器５は、ネットワーク９を介して機器管理サーバ３と送受信が可能となる。
【０１６８】
ステップＳ１５０２では、印刷機器５は、設定情報の受信処理を行う。設定情報の受信処理は、図１１のステップＳ１１０３で機器管理サーバ３から出力されるデータを受信する処理である。
【０１６９】
ステップＳ１５０３では、印刷機器５は、ステップＳ１５０２で受信した設定情報に基づいて設定を変更する処理を行う。
【０１７０】
＜機器管理サーバによる処理＞
図１６は、本発明の一実施形態に係る情報処理システムの機器管理サーバによる処理の一例を説明するフローチャートである。
【０１７１】
ステップＳ１６０１では、機器管理サーバ３は、スケジュール情報を入力する処理を行う。ステップＳ１６０１の処理は、例えば図１１のステップＳ１１０２で機器管理サーバ３が出力したスケジュール情報を受信する処理である。
【０１７２】
ステップＳ１６０２では、機器管理サーバ３は、印刷機器５がネットワーク９に接続された時間となったか否か判断する処理を行う。ネットワーク９に接続された時間は、図１１の場合、時間Ｔ１である。時間Ｔ１は、ステップＳ１６０１で入力されたスケジュール情報に基づいて決定される。
【０１７３】
時間Ｔ１となったと判断された場合（ステップＳ１６０２でＹＥＳ）、機器管理サーバ３は、ステップＳ１６０３の処理に進む。時間Ｔ１になっていないと判断された場合（ステップＳ１６０２でＮＯ）、機器管理サーバ３は、時間Ｔ１となるまで待機し、ステップＳ１６０２の処理に戻る。
【０１７４】
ステップＳ１６０３では、機器管理サーバ３は、後述する検出処理を行う。後述する検出処理は、ネットワーク９に接続された機器を検出するための処理である。後述する検出処理は、検出結果として機器が検出されたか否かを判定する。図１１の場合、検出結果は、印刷機器５の検出を行った結果を示す。ステップＳ１６０３の処理は、図１１のステップＳ１１０３の処理に相当する。
【０１７５】
ステップＳ１６０４では、機器管理サーバ３は、ステップＳ１６０３の検出結果に基づいて機器が検出できたか否かの判断を行う。図１１の場合は、時間Ｔ１に印刷機器５が接続されたため、ステップＳ１６０３の検出結果で印刷機器５が検出される。
【０１７６】
ステップＳ１６０３の検出結果で印刷機器５が検出されたと判断された場合（ステップＳ１６０４でＹＥＳ）、機器管理サーバ３は、ステップＳ１６０５に進む。ステップＳ１６０３の検出結果で印刷機器５が検出されなかったと判断された場合（ステップＳ１６０４でＮＯ）、機器管理サーバ３は、ステップＳ１６０９に進む。
【０１７７】
ステップＳ１６０５では、機器管理サーバ３は、後述する検出処理を終了する処理を行う。ステップＳ１６０５では、機器管理サーバ３は、例えばステップＳ１６０３で開始した検出処理を終了し、検出処理が行われる前の状態の設定にする処理を行う。
【０１７８】
ステップＳ１６０６では、機器管理サーバ３は、検出された機器を登録する処理を行う。ステップＳ１６０６では、図１１の場合、機器管理サーバ３は、ステップＳ１６０３の検出結果で印刷機器５を検出し、検出された印刷機器５を登録する。登録する処理は、例えば機器管理サーバ３が管理する対象の機器を記憶しているデータベース（図示せず）などに加える処理である。登録する処理によって機器管理サーバ３は、印刷機器５の各種管理を行う。登録する処理の詳細は、後述する。
【０１７９】
ステップＳ１６０７では、機器管理サーバ３は、機器の設定情報を入力する処理を行う。機器の設定情報を入力する処理は、例えば設定情報管理サーバ４に設定情報を要求する処理である。機器管理サーバ３は、図１１の場合、ステップＳ１６０３の検出結果に基づいて印刷機器５に対応する設定情報を特定する。機器管理サーバ３は、対応する設定情報を設定情報管理サーバ４に要求し、設定情報管理サーバ４から設定情報を取得するための処理を行う。ステップＳ１６０７の処理は、図１１のステップＳ１１０４、および図１１のステップＳ１１０６の処理に相当する。
【０１８０】
ステップＳ１６０８では、機器管理サーバ３は、設定情報を送信する処理を行う。ステップＳ１６０８では、図１１の場合、機器管理サーバ３は、ステップＳ１６０７で入力された設定情報を印刷機器５に送信する。ステップＳ１６０８の処理は、図１１のステップＳ１１０７の処理に相当する。
【０１８１】
ステップＳ１６０９では、機器管理サーバ３は、所定の時間が経過したか否かの判断を行う。ステップＳ１６０９では、図１１の場合、機器管理サーバ３は、時間Ｔ１から所定の時間が経過したか否か、すなわちステップＳ１６０３で開始された後述する検出処理が行われてから所定の時間が経過したか否か判断する。
【０１８２】
時間Ｔ１から所定の時間が経過した場合（ステップＳ１６０９でＹＥＳ）、機器管理サーバ３は、ステップＳ１６１０に進む。時間Ｔ１から所定の時間が経過していない場合（ステップＳ１６０９でＮＯ）、機器管理サーバ３は、所定の時間待機し、ステップＳ１６０９の処理に戻る。
【０１８３】
ステップＳ１６１０では、機器管理サーバ３は、後述する検出処理を終了する処理を行う。ステップＳ１６１０の処理は、ステップＳ１６０５の処理と同様であり、説明を省略する。
【０１８４】
＜設定情報管理サーバによる処理＞
図１７は、本発明の一実施形態に係る情報処理システムの設定情報管理サーバによる処理の一例を説明するフローチャートである。
【０１８５】
ステップＳ１７０１では、設定情報管理サーバ４は、設定情報の入力処理を行う。設定情報の入力処理は、図１１のステップＳ１１０１に対応する処理である。設定情報管理サーバ４は、例えば情報処理システム１の管理者の操作によって、設定情報を入力し、記憶する。
【０１８６】
ステップＳ１７０２では、設定情報管理サーバ４は、設定情報の要求があるか否かの判断を行う。設定情報の要求があると判断された場合（ステップＳ１７０２でＹＥＳ）、設定情報管理サーバ４は、ステップＳ１７０３に進む。設定情報の要求がないと判断された場合（ステップＳ１７０２でＮＯ）、設定情報管理サーバ４は、ステップＳ１７０２に戻る、すなわち設定情報の要求があるまで待機する。設定情報の要求は、図１１のステップＳ１１０４および図１６のステップ１６０７で機器管理サーバ３が行う。
【０１８７】
ステップＳ１７０３では、設定情報管理サーバ４は、設定情報を送信する処理を行う。設定情報を送信する処理は、図１１のステップＳ１１０５およびステップＳ１１０６の処理に相当する。すなわち設定情報管理サーバ４は、設定情報の要求に対して対応する設定情報を記憶している設定情報から検索する。図１１の場合、設定情報管理サーバ４は、印刷機器５に対応する設定情報を機器管理サーバ３に送信する。
【０１８８】
＜変形例＞
図１８は、本発明の一実施形態に係る設定情報に基づいて設定を変更する処理の変形例を説明する図である。
【０１８９】
図１８は、ネットワーク９に接続された機器が図１１の印刷機器５に代えて携帯情報処理機器７が接続された場合、図１１のステップＳ１１０８の処理を説明する図である。
【０１９０】
図１８（ａ）は、携帯情報処理機器７のネットワーク９に接続する際の設定状態の一例を表す表である。
【０１９１】
図１８（ｂ）は、図１１のステップＳ１１０８の設定情報に基づいて設定を変更する処理によって、携帯情報処理機器７の設定が変更された後の設定状態の一例を表す表である。
【０１９２】
携帯情報処理機器の初期設定表１６は、例えばいわゆる初期状態、またはいわゆるデフォルト状態を表す表である。
【０１９３】
携帯情報処理機器の初期設定表１６で表すように、携帯情報処理機器７のデフォルト状態は、例えば顧客情報が入力されていない状態である。
【０１９４】
設定情報に基づいて設定を変更する処理は、携帯情報処理機器の初期設定表１６で表せる状態から図１１のステップＳ１１０７で送信された図９の第二の設定表１１で表された状態に携帯情報処理機器７の設定を変更する処理である。図１４の印刷機器５の場合と同様に、設定情報に基づいて設定を変更する処理は、図９の第二の設定表１１によって携帯情報処理機器の変更設定表１７で表す状態に設定を変更する処理である。
【０１９５】
設定情報に基づいて設定を変更する処理を行うことによって、ユーザは、機器を導入の際、各機器がデータがないデフォルトの状態となっている設定を個別に変更する顧客情報を入力する作業を減らすことができる。したがって、設定情報に基づいて設定を変更する処理を行うことによって、ユーザの機器を導入する際の作業負荷を低減することができる。
【０１９６】
＜検出処理、および検出処理を終了する処理＞
検出処理は、図１１の場合、ネットワーク９に接続された印刷機器５を検出する処理である。検出処理は、例えばいわゆるポーリングによって実現できる。
【０１９７】
ポーリングは、例えば機器管理サーバ３がポーリング信号を送信する。印刷機器５は、ネットワーク９に接続され、かつ、ポーリング信号を受信した場合、機器管理サーバ３へ返信信号を送信する。機器管理サーバ３は、返信信号を印刷機器５から受信した場合、印刷機器５がネットワーク９に接続されたと検出する。
【０１９８】
検出処理は、図１１の時間Ｔ１、または時間Ｔ１より所定の時間早い時間になった場合、ポーリング信号を送信する間隔を短くする処理としてもよい。機器管理サーバ３は、ポーリング信号の送信を１時間に１回行う設定、かつ、時間Ｔ１になった際から検出処理を行う設定の場合を例に以下説明する。
【０１９９】
検出処理は、図１１のステップＳ１１０３に相当する処理である。図１１のステップＳ１１０３の検出処理は、例えば時間Ｔ１以降、機器管理サーバ３のポーリング信号の送信を１０分に１回行う設定に変更する処理である。機器管理サーバ３は、検出処理によって、ポーリング信号の送信を行う間隔を６分の１にする。ポーリング信号の送信を行う間隔は、ネットワーク９上のデータ量増加を少なくし、かつ、速やかに接続された印刷機器５を検出できる１０分に１回乃至５分に１回の送信が望ましい。
【０２００】
なお、検出処理によって検出される時間Ｔ１は、ネットワーク９に接続する場合に限られない。例えば、情報処理システム１の管理者が予め定める機器の設定を変更する場合でもよい。情報処理システム１の管理者が重要と認める機器の設定を変更する処理が行われた場合を検出し、機器、およびネットワークの重要な設定の変更を情報処理システム１の管理者が把握することができる。
【０２０１】
ポーリング信号を送信する間隔を短くする処理を行うことで、ネットワーク９に接続された機器を検出することができる。すなわち、検出処理によって、ネットワーク９に機器が接続されたことを検出することができる。
【０２０２】
検出処理を終了する処理は、検出処理で短くなったポーリング信号を送信する間隔を長くする処理である。検出処理を終了する処理は、例えば検出処理で１０分に１回の間隔でポーリング信号を送信するとなっている設定を、ポーリング信号の送信を１時間に１回行う設定に変更する処理である。検出処理を終了する処理は、例えば検出処理と同様に所定の時間となった場合、または検出処理を行ってから所定の時間が経過した場合などに開始する。検出処理を終了する処理は、ネットワーク９上のデータ量、または各機器の処理による負担を少なくすることができる。
【０２０３】
＜登録する処理＞
図１９は、本発明の一実施形態に係る機器管理サーバによる登録する処理の一例を説明するフローチャートである。
【０２０４】
登録する処理は、図１６のステップＳ１６０６に相当する。
【０２０５】
図１９（ａ）は、本発明の一実施形態に係る機器管理サーバによる登録する処理の一例を説明するフローチャートである。
【０２０６】
ステップＳ１９０１では、機器管理サーバ３は、情報処理システム１の管理者の操作によって各機器に対応する設定情報を作成するための情報を入力する処理を行う。
【０２０７】
ステップＳ１９０２では、機器管理サーバ３は、ステップＳ１９０１で入力された情報に基づいて図１６のステップＳ１６０７で入力される設定情報を決める処理を行う。例えば機器管理サーバ３は、ステップＳ１９０１で入力された情報に基づいて後段の図１６のステップＳ１６０７の処理で設定情報を変更するための情報を作成する処理などである。
【０２０８】
図１９（ｂ）は、本発明の一実施形態に係る機器管理サーバによる登録する処理の別の一例を説明するフローチャートである。
【０２０９】
図１９（ｂ）は、図１９（ａ）の場合とステップＳ１９０３が追加されている点が異なる。同様の処理は、同じ符号で示し、説明を省略する。
【０２１０】
ステップＳ１９０３では、機器管理サーバ３は、設定情報管理サーバから取得する設定情報を決める。機器管理サーバ３は、設定情報管理サーバ４から定期的に設定情報を取得する。
【０２１１】
＜第２実施形態＞
第２の実施形態は、第１実施形態の図１で説明した情報処理システム１を用いる。したがって、情報処理システム１の説明は省略する。以下、第１実施形態の説明と同様に、ネットワーク９に印刷機器５が接続された場合を例に説明する。
【０２１２】
第２の実施形態は、第１実施形態の図２、および図４で説明した機器管理サーバ３を用いる。第２の実施形態は、第１実施形態の図２、および図６で説明した設定情報管理サーバ４を用いる。第２の実施形態は、第１実施形態の図３、および図７で説明した印刷機器５を用いる。これらの説明は省略する。
【０２１３】
図２０は、本発明の一実施形態に係る第２実施形態の情報処理システムにおいて印刷機器がネットワークに接続された場合の全体処理の一例を説明するシーケンス図である。第１実施形態の図１１の全体処理と比較して、第２実施形態の全体処理は、ステップＳ２００１の処理が追加されている点が異なる。図２０において図１１と同じ装置、処理については同一の符号を付し、説明を省略する。
【０２１４】
ステップＳ１１０３およびステップＳ２００１では、印刷機器５および機器管理サーバ３は、検出処理を行う。第２実施形態の検出処理と、第１実施形態の検出処理と、は、処理の内容が異なる。以下、第２実施形態の検出処理について説明する。
【０２１５】
検出処理は、印刷機器５の出力部５Ｆ２が機器管理サーバ３に設定情報を要求する処理である。
【０２１６】
ステップＳ２００１では、印刷機器５は、印刷機器５の出力部５Ｆ２が機器管理サーバ３に設定情報を要求する、いわゆるリクエストを行う処理である。
【０２１７】
機器管理サーバ３は、印刷機器５の出力部５Ｆ２が機器管理サーバ３に設定情報を要求、すなわち検出処理によって、印刷機器５がネットワーク９に接続されたことが検出できる。印刷機器５がネットワーク９に接続されたことが検出できた場合、機器管理サーバ３は、印刷機器５を管理対象として登録する。
【０２１８】
印刷機器５がネットワーク９に接続されたことが検出できない場合、かつ、所定の時間Ｔ１になった場合、機器管理サーバ３は、ポーリングで印刷機器５を検出する図１１のステップＳ１１０３の処理を行う。ステップＳ２００１で印刷機器５がネットワーク９に接続されたことが検出できた場合、機器管理サーバ３は、ステップＳ１１０３の処理を行なわず、検出処理を完了する。
【０２１９】
以降の処理は、第１実施形態のステップＳ１１０４乃至ステップＳ１１０８と同様の処理を行う。
【０２２０】
＜第２実施形態の印刷機器による処理＞
図２１は、実施形態に係る第２実施形態の情報処理システムの印刷機器による処理の一例を説明するフローチャートである。
【０２２１】
第２実施形態の印刷機器の処理は、第１実施形態の図１５に示した処理と比較してステップＳ２１０１、およびステップＳ２１０２の処理が追加されている点が異なる。図２１おいて図１５同じ処理については同一の符号を付し、説明を省略する。
【０２２２】
ステップＳ２１０１では、印刷機器５は、設定情報の要求を送信する処理を行う。印刷機器５は、ステップＳ１５０１の処理によってネットワーク９に接続する設定が完了している。印刷機器５は、接続しているネットワーク９を介して設定情報を取得するための処理を行う。ステップＳ２１０１の処理は、図２０のステップＳ２００１の処理に相当する。
【０２２３】
ステップＳ２１０２は、印刷機器５は、検出されたか否かの判断を行う。印刷機器５は、ステップＳ２１０１の処理、または図２１のステップＳ１１０３の処理による検出結果で機器管理サーバ３に検出されたか否かを判断する。検出されたと判断する場合（ステップＳ２１０２でＹＥＳ）、印刷機器５は、ステップＳ１５０２の処理に進む。検出されていないと判断する場合（ステップＳ２１０２でＮＯ）、印刷機器５は、ステップＳ２１０２の処理に戻る、すなわち検出されるのを待機する処理を行う。なお、検出されていないと判断する場合、印刷機器５は、ステップＳ２１０１の処理を行うに戻ってもよい。
【０２２４】
以降の処理は、第１実施形態の図１５のステップＳ１５０２、およびステップＳ１５０３と同様の処理を行う。
【０２２５】
ポーリングの回数を少なくすることによって、ネットワーク上のデータ量を少なくすることができる。
【０２２６】
印刷機器が機器管理サーバ３に設定情報を要求する検出処理を行うことで、ネットワーク９に接続された機器を検出することができる。すなわち、検出処理によって、ネットワーク９に機器が接続されたことを検出することができる。
【０２２７】
＜第２実施形態の機器管理サーバによる処理＞
図２２は、実施形態に係る第２実施形態の情報処理システムの機器管理サーバによる処理の一例を説明するフローチャートである。
【０２２８】
第２実施形態の機器管理サーバの処理は、第１実施形態の図１６に示した処理と比較してステップＳ２２０１の処理が追加されている点が異なる。図２２おいて図１６同じ処理については同一の符号を付し、説明を省略する。
【０２２９】
ステップＳ２２０１では、機器管理サーバ３は、印刷機器５から設定情報の要求があったか否かの判断を行う。印刷機器５から設定情報の要求は、機器管理サーバ３が印刷機器５からの設定情報の要求を受信することによって行われる。印刷機器５から設定情報の要求は、図２０のステップＳ２００１、および図２１のステップＳ２１０１の処理によって行われる。
【０２３０】
ステップＳ２２０１で印刷機器５から設定情報の要求があった場合（ステップＳ２２０１でＹＥＳ）、機器管理サーバ３は、ステップＳ１６０６に進む。ステップＳ２２０１で印刷機器５から設定情報の要求がなかった場合（ステップＳ２２０１でＮＯ）、機器管理サーバ３は、ステップＳ１６０２に進む。
【０２３１】
ステップＳ２２０１で印刷機器５から設定情報の要求がなかった場合、かつ、時間Ｔ１となった場合（ステップＳ１６０２でＹＥＳ）、機器管理サーバ３は、第１実施形態と同様のポーリングによる検出処理を開始する。
【０２３２】
＜第３実施形態＞
第３の実施形態は、第１実施形態の図１で説明した情報処理システム１を用いる。したがって、情報処理システム１の説明は省略する。以下、第１実施形態の説明と同様に、ネットワーク９に印刷機器５が接続された場合を例に説明する。
【０２３３】
第３の実施形態は、第１実施形態の図２、および図４で説明した機器管理サーバ３を用いる。第２の実施形態は、第１実施形態の図２、および図６で説明した設定情報管理サーバ４を用いる。第２の実施形態は、第１実施形態の図３、および図７で説明した印刷機器５を用いる。これらの説明は省略する。
【０２３４】
図２３は、本発明の一実施形態に係る第３実施形態の情報処理システムにおいて印刷機器がネットワークに接続された場合の全体処理の一例を説明するシーケンス図である。第１実施形態の図１１の全体処理と比較して、図１１のステップＳ１１０１がステップＳ２３０１である点と、ステップＳ２３０２の処理が追加されている点が異なる。図２０において図１１と同じ装置、処理については同一の符号を付し、説明を省略する。
【０２３５】
ステップＳ２３０１では、情報処理システム１の管理者は、設定情報管理サーバ４に管理情報を入力する。図１１のステップＳ１１０１と異なり、ステップＳ２３０１で入力する管理情報は、図１１のステップＳ１１０１で入力する管理情報に加えて、機器の使用終了時間Ｔ２を入力してある情報である。ステップＳ１１０２乃至ステップＳ１１０８は、第１実施形態の図１１の説明の通りのため説明を省略する。
【０２３６】
ステップＳ２３０２では、機器管理サーバ３は、機器の使用終了時間Ｔ２になった際、印刷機器５を初期化する処理を行う。
【０２３７】
印刷機器５を初期化する処理は、例えば印刷機器５を図１４（ａ）で表したデフォルト状態にする処理である。印刷機器５を初期化する処理は、デフォルト状態にする処理に限られない。例えば、印刷機器５を初期化する処理は、印刷機器５がネットワーク９に接続された時間Ｔ１から機器の使用終了時間Ｔ２までに記憶、または使用した各種データを削除する処理でもよい。
【０２３８】
なお、ステップＳ２３０２は、機器管理サーバ３が印刷機器５を初期化するに限られない。例えば、ステップＳ２３０２は、予め情報処理システム１の管理者が設定した設定情報を機器管理サーバ３が印刷機器５に送信し、印刷機器５が送信された設定情報に基づいて設定を変更する処理でもよい。
【０２３９】
また、ステップＳ２３０２は、機器の使用終了時間Ｔ２になった際に処理が行われるに限られない。例えばステップＳ２３０２は、機器の使用終了時間Ｔ２から所定の時間が経過した後に処理が行われてもよい。
【０２４０】
なお、第３実施形態は、図２３の場合に限られない。例えば、第３実施形態は、検出処理が行われなくともよい。さらに、第２実施形態の検出処理と組合わせる全体処理でもよい。
【０２４１】
印刷機器５が記憶、または使用した情報が顧客情報など秘密情報であった場合、ユーザまたは情報システム管理者は、セキュリティを確保するため、秘密情報を削除する作業を行う。印刷機器５を初期化する処理を行うことで、ユーザまたは情報システム管理者による作業負荷を低減がすることができる。
【０２４２】
情報処理システム１は、検出処理、および初期化する処理によって、ユーザの作業負荷を低減できる情報処理システムを提供することできる。
【０２４３】
＜第３実施形態の機器管理サーバによる処理＞
図２４は、実施形態に係る第３実施形態の情報処理システムの機器管理サーバによる処理の一例を説明するフローチャートである。
【０２４４】
第３実施形態の機器管理サーバの処理は、第１実施形態の図１６に示した処理と比較してステップＳ２４０１、およびステップＳ２４０２の処理が追加されている点が異なる。図２４おいて図１６同じ処理については同一の符号を付し、説明を省略する。
【０２４５】
ステップＳ２４０１では、機器管理サーバ３は、時間Ｔ２になったか否かの判断を行う。時間Ｔ２は、図２３と同様に機器の使用終了時間Ｔ２の場合を例に説明する。時間Ｔ２となった場合（ステップＳ２４０１でＹＥＳ）、機器管理サーバ３は、ステップＳ２４０２に進む。時間Ｔ２となっていない場合（ステップＳ２４０１でＮＯ）、機器管理サーバ３は、ステップＳ２４０１に戻る、すなわち時間Ｔ２となるまで待機する。
【０２４６】
ステップＳ２４０２では、機器管理サーバ３は、印刷機器５を初期化する処理を行う。ステップＳ２４０２の処理は、図２３のステップＳ２３０２の処理に相当する。ステップＳ２４０２では、機器管理サーバ３は、例えば印刷機器５にデフォルトの状態にする設定情報を送信する処理などである。
【０２４７】
なお、実施形態で説明したネットワークを用いたシステム構成は一例であり、用途や目的に応じて様々なシステム構成があることは言うまでもない。例えば、各処理は、ネットワークを介して２つ以上のコンピュータによって分散、冗長、または並列に処理されてもよい。また、情報処理システム１が用いる情報は、２つ以上の記憶装置に分散、または冗長して記憶されてもよい。
【０２４８】
なお、実施形態は、機器がネットワークに新たに接続された場合に代えてネットワークに接続されている機器の設定が変更された場合であってもよい。
【０２４９】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０２５０】
１  情報処理システム
２  通信回線
３  機器管理サーバ
４  設定情報管理サーバ
５  印刷機器
６  情報処理機器
７  携帯情報処理機器
８  サイト
９  ネットワーク
１０  第一の設定表
１１  第二の設定表
１２  管理表
１３  スケジュール表
１４  印刷機器の初期設定表
１５  印刷機器の変更設定表
１６  携帯情報処理機器の初期設定表
１７  携帯情報処理機器の変更設定表
３０  対応表
３Ｆ１  入力部
３Ｆ１１  信号入力部
３Ｆ１２  データ入力部
３Ｆ２  出力部
３Ｆ２１  信号出力部
３Ｆ２２  データ出力部
３Ｆ３  処理部
３Ｆ３１  検出処理部
３Ｆ３２  スケジュール管理処理部
３Ｆ３３  設定情報管理処理部
３Ｆ３４  設定情報配布処理部
３Ｆ３５  設定変更受付処理部
３Ｆ４  記憶部
３Ｆ４１  スケジュール情報記憶部
３Ｆ４２  設定情報記憶部
３Ｆ５  制御部
４Ｆ１  入力部
４Ｆ２  出力部
４Ｆ３  処理部
４Ｆ３１  設定変更受付処理部
４Ｆ３２  設定情報管理処理部
４Ｆ４  記憶部
４Ｆ４１  対応情報記憶部
４Ｆ４２  設定情報記憶部
４Ｆ５  制御部
５Ｆ１  入力部
５Ｆ２  出力部
５Ｆ３  処理部
５Ｆ３１  画像処理部
５Ｆ３２  設定情報受付処理部
５Ｆ３３  設定情報管理処理部
５Ｆ３４  設定情報要求処理部
５Ｆ４  記憶部
５Ｆ４１  設定情報記憶部
５Ｆ５  制御部
６Ｆ１  入力部
６Ｆ２  出力部
６Ｆ３  処理部
６Ｆ３１  設定変更受付処理部
６Ｆ３２  設定情報管理処理部
６Ｆ３３  設定情報要求処理部
６Ｆ４  記憶部
６Ｆ４１  設定情報記憶部
６Ｆ５  制御部
【先行技術文献】
【特許文献】
【０２５１】
【特許文献１】特開２０１２−８４１２０号公報
【特許文献２】特開２００９−２４４９２８号公報
【図１】
2015148958.tif 000003
【図２】
2015148958.tif 000004
【図３】
2015148958.tif 000005
【図４】
2015148958.tif 000006
【図５】
2015148958.tif 000007
【図６】
2015148958.tif 000008
【図７】
2015148958.tif 000009
【図８】
2015148958.tif 000010
【図９】
2015148958.tif 000011
【図１０】
2015148958.tif 000012
【図１１】
2015148958.tif 000013
【図１２】
2015148958.tif 000014
【図１３】
2015148958.tif 000015
【図１４】
2015148958.tif 000016
【図１５】
2015148958.tif 000017
【図１６】
2015148958.tif 000018
【図１７】
2015148958.tif 000019
【図１８】
2015148958.tif 000020
【図１９】
2015148958.tif 000021
【図２０】
2015148958.tif 000022
【図２１】
2015148958.tif 000023
【図２２】
2015148958.tif 000024
【図２３】
2015148958.tif 000025
【図２４】
2015148958.tif 000026